(57)【要約】【課題】折り畳み式照明器具において、発光体による光照射可能範囲を広くする。【解決手段】折り畳み式照明器具１は、面状の発光体２と、発光体２を回動自在に支持するアーム３と、アーム３を回動自在に支持し、アーム３を倒したときに発光体２が載せられる本体４と、を備える。発光体２の発光面２ａは、回動軸付近の下縁の略中心部２ｂから離れるにつれて発光強度が大きくなる。従って、発光体２により照明対象を斜め上方から照らす場合、照明面に近い発光面２ａの下縁の略中心部２ｂから離れるにつれて発光強度は大きくなり、照明面から遠い発光面２ａの上縁及び側縁の発光強度は下縁の略中心部２ｂよりも大きくなる。このため、照明面において発光面２ａに近い部分と遠い部分の照度を略同じとすることができる。従って、照明面全体の照度を略均一にすることできる。【選択図】図５
2010009833.tif 000002
【特許請求の範囲】
【請求項１】
面状の発光体と、
前記発光体をアーム先端側回動軸の周りに回動自在に支持するアームと、
前記アームをアーム基端側回動軸の周りに回動自在に支持し、該アームを倒したときに前記発光体が載せられる載せ面を有する本体と、を備え、
前記発光体が前記本体の載せ面に載せられた折り畳み状態と、前記アームを起こして前記発光体を前記本体の載せ面から離した展開状態とを有する折り畳み式照明器具において、
前記アーム先端側回動軸は、前記展開状態で前記発光体の発光面と本体の載せ面とがなす角を可変とし、
前記発光体は、前記展開状態で、その回動軸側が下縁となるとき、その下縁の略中心部から離れるにつれて発光強度が大きくなるものとしたことを特徴とする折り畳み式照明器具。
【発明の詳細な説明】
【技術分野】
【０００１】
本発明は、本体から延びたアーム先端に発光体が取り付けられた折り畳み式照明器具に関する。
【背景技術】
【０００２】
従来から、上面が開口した箱状の本体と、その蓋となる、下面が開口した箱状であり、中にランプが配設された発光体と、本体の内底と発光体の下面に連結された折り畳み連結杵（以下、連結杵という）とを備え、連結杵が延ばされたとき、発光体は本体の上方に位置して発光体下方を照らし、連結杵が折り畳まれたとき、その連結杵は本体に収納され、発光体と本体とが上下に重ね合わされる折り畳み式照明器具が知られている（例えば、特許文献１参照）。この照明器具は、連結杵を延ばしたときに電気スタンドとして利用でき、連結杵を折り畳んだときにはコンパクトになり、携帯し易くなる。
【０００３】
ところで、特許文献１に示された折り畳み式照明器具においては、連結杵の上端部が発光体と回動自在に連結されており、その連結部位は発光体の側壁に近い。このため、発光体を仰角方向に回動させようとしても、発光体の側壁が連結杵に当たり、発光体の回動が制限される。
【０００４】
そこで、図８に示されるように発光体を仰角方向に回動できるようにした照明器具１０が知られている。この照明器具１０は、面状の発光体１１と、発光体１１を両側方から保持し、発光体を回動自在に支持する一対のアーム１２と、これらのアーム１２を回動自在に支持する本体１３とを備える。
【０００５】
しかしながら、この照明器具１０においては、発光体１１により照明対象の雑誌Ｂ１等を斜め上方から照らす際に、紙面上で発光体１１に近い部分が遠い部分よりも明るくなることがあった。このため、照明面である紙面全体の照度を略均一にすることが難しかった。
【特許文献１】実開平３−１２７７１１号公報
【発明の開示】
【発明が解決しようとする課題】
【０００６】
本発明は、上記の従来の問題を解決するためになされたものであり、照明対象をその斜め上方から照明するときに照明面全体の照度を略均一にすることができる折り畳み式照明器具を提供することを目的とする。
【課題を解決するための手段】
【０００７】
上記目的を達成するために請求項１の発明は、面状の発光体と、前記発光体をアーム先端側回動軸の周りに回動自在に支持するアームと、前記アームをアーム基端側回動軸の周りに回動自在に支持し、該アームを倒したときに前記発光体が載せられる載せ面を有する本体と、を備え、前記発光体が前記本体の載せ面に載せられた折り畳み状態と、前記アームを起こして前記発光体を前記本体の載せ面から離した展開状態とを有する折り畳み式照明器具において、前記アーム先端側回動軸は、前記展開状態で前記発光体の発光面と本体の載せ面とがなす角を可変とし、前記発光体は、前記展開状態で、その回動軸側が下縁となるとき、その下縁の略中心部から離れるにつれて発光強度が大きくなるものとしたものである。
【発明の効果】
【０００８】
請求項１の発明によれば、発光体により照明対象を斜め上方から照らす場合、照明面に近い発光体の下縁の略中心部から離れるにつれて発光強度は大きくなり、照明面から遠い発光体の上縁及び側縁の発光強度は下縁の略中心部よりも大きくなるので、照明面において発光体に近い部分と遠い部分の照度を略同じとすることができる。従って、照明面全体の照度を略均一にすることができる。
【発明を実施するための最良の形態】
【０００９】
本発明の一実施形態に係る折り畳み式照明器具（以下、照明器具という）について図面を参照して説明する。図１（ａ）〜（ｃ）は、本実施形態に係る照明器具とその各種状態とを示す。本実施形態の照明器具１は、面状の発光体２と、発光体２をアーム先端に保持する一対のアーム３と、これらのアーム３を支持する本体４と、を備える。アーム３は、その先端側回動軸３１（以下、第１の軸３１という）の周りに発光体２を回動自在に支持する。本体４は、アーム３をその基端側回動軸３２（以下、第２の軸３２という）の周りに回動自在に支持しており、アーム３を倒したときに発光体２が載せられる載せ面４ａを本体４の上面に有する。
【００１０】
照明器具１は、図１（ａ）に示されるように、発光体２が本体４の載せ面４ａに載せられた折り畳み状態と、図１（ｂ）（ｃ）に示されるように、アーム３を起こして発光体２を本体４の載せ面４ａから離した展開状態とを有する。第１の軸３１は、その展開状態で発光体２の発光面２ａと本体４の載せ面４ａとがなす角を可変とする。発光体２の発光面２ａは、第１の軸３１の軸心に沿った下縁の略中心部２ｂから離れるにつれて発光強度が大きくなるように制御されている。発光体２における第１の軸３１の側が上記展開状態で下側となる間だけでなく上側となる間も上述の発光強度分布とされている。発光面２ａの下縁は発光体２全体の下縁と略同じ位置にある。
【００１１】
本体４は、筐体４１と、筐体４１の上部に一体形成されたクリップ部４２とを含む。筐体４１の後部の両側端付近には、アーム３の基端部が、それぞれ回動自在に連結されている。アーム３の基端部に設けられた孔と、筐体４１の後部に設けられた孔とに枢軸４３を挿通させることで、アーム３と筐体４１とは互いに回動自在とされている。このようにして枢軸４３は基端側回動第２の軸３２を構成する。アーム３の基端部の孔、筐体４１後部の孔、及び枢軸４３は、アーム３を回動させたときに、互いの間に摩擦力が働き、アーム３及び枢軸４３の回動が制動され、発光体２及びアーム３の重みによる回動が抑制されるように、それぞれの径が調整されている。これにより、アーム３は任意の傾きで保持可能とされている。クリップ部４２は、載せ面４ａとの間で、布又は紙等の薄い部材を挟むことが可能である。
【００１２】
図２は、発光体２とアーム３の先端部３ａとの構成を示す。発光体２は、薄板状で横長の略長方形の面状光源２１と、面状光源２１の周縁を保持し、かつその背面を覆うカバー２２とで構成される。カバー２２の形状も横長の略長方形の薄板状とする。カバー２２は、両側端部に、側方に突出した軸部２２ａを有する。カバー２２の材料は、プラスチック又はゴム等の樹脂組成物、若しくはアルミニウム合金、鉄又はマグネシウム合金等の金属等の割れ難い素材であることが望ましい。
【００１３】
アーム３は、その先端部３ａの内側の側面に、発光体２の軸部２２ａが挿嵌される挿入穴３ｂを有する。挿入穴３ｂは、軸部２２ａの軸方向を本体４の載せ面４ａ（上記図１参照）と略平行とし、軸部２２ａを回動自在に支持する。発光体２の両側端の軸部２２ａは、各アーム３の挿入穴３ｂにそれぞれ軸支され、発光体２は、一対のアーム３の先端部３ａに架けられる。このようにして、発光体２の軸部２２ａは、発光体２全体をアーム３に対して回動自在とし、発光体２の発光面２ａと本体４の載せ面４ａとがなす角を可変とし、第１の軸３１を構成する。発光体２の軸部２２ａ及びアーム３の挿入穴３ｂは、発光体２を回動させたときに、互いの間に摩擦力が働き、軸部２２ａの回動が制動され、発光体２の重みによる回動が抑制されるように、それぞれの径が調整されている。これにより、発光体２は任意の傾きで保持可能とされている。
【００１４】
図３は、面状光源２１を示す。面状光源２１は、複数の発光素子２１ａが平面上に並べられた発光パネルで構成される。発光素子２１ａはＬＥＤ素子又はＥＬ素子等から成る。発光素子２１ａの並べ方は、例えば、図示のようなマトリクス状であっても、又は扇状であっても、ランダムであってもよい。発光素子２１ａの数は図示された数に限定されない。
【００１５】
図４は、照明器具１の電気的構成を示す。照明器具１は、発光素子２１ａを点灯駆動させる駆動回路５と、スイッチ等で構成される操作部６と、ユーザによる操作部６の操作に基づいて駆動回路５を制御して発光素子２１ａを点灯制御する制御回路７と、制御回路７に給電する電池８とを備える。制御回路７は、駆動回路５を制御して、各発光素子２１ａへの供給電流を制御することで、発光素子２１ａを素子毎に点灯制御する。
【００１６】
図５は、制御回路７により点灯制御された発光体２を示す。発光体２の発光面２ａは、下縁の略中心部２ｂから離れるにつれて発光強度が大きくなるように点灯制御されている。このような点灯制御のため、発光面２ａは、下縁の略中心部２ｂからの距離に応じて複数のエリアＡ１に分けられている。例えば、発光面２ａは、下縁の略中心部２ｂ付近が一つのエリアに設定され、その周囲を囲う部分が別のエリアとされ、このように年輪状にエリアＡ１が設定されている。エリアＡ１の発光素子２１ａ（上記図３を参照）は、エリアＡ１が略中心部２ｂから放射状に離れるにつれて、発光素子２１ａへの供給電流値が大きくなるように制御されている。発光素子２１ａをＰＷＭ制御する場合には、ＰＷＭ制御信号のデューティ比が高くなるように制御される。
【００１７】
次に、上記のように構成された照明器具１の各種使用方法について図６及び図７を参照して説明する。図６は、照明器具１を机等の上に置いて使用するときの様子を示す。ユーザは本体４を机等の上に置いて、アーム３を起こし、発光体２を本体４の載せ面４ａから離して、上述の展開状態とする。そして、本体４の前に、雑誌Ｂ１等を開いて置き、発光体２の発光面２ａを紙面に向ける。発光体２の発光面２ａは、上述の状態で電源がオンされると点灯して紙面を照明する（照明方向を一点鎖線で示す）。ユーザは、紙面の大きさに合わせてアーム３の傾きを調整して、発光体２と紙面との間の距離を調整する。さらに、ユーザは発光体２の傾きも調整して配光を制御し、例えば紙面全体を照明面（破線で示す）とするように調整する。
【００１８】
図７は、上記とは別の使用例として、照明器具１をクリップ部４２により雑誌等に取り付けて使用する使用例を示す。ユーザＵ１は、クリップ部４２を用いて雑誌Ｂ１の見開き上部を挟み、アーム３を起こし、さらに発光体２を起こして発光面を紙面へ向ける。発光体２は電源がオンされると点灯して、紙面へ光を照射する。
【００１９】
本実施形態においては、発光体２により照明対象を斜め上方から照らす場合、照明面に近い発光面２ａの下縁の略中心部２ｂから離れるにつれて発光強度は大きくなり、照明面から遠い発光面２ａの上縁及び側縁の発光強度は下縁の略中心部２ｂよりも大きくなる。このため、照明面において発光面２ａに近い部分と遠い部分の照度を略同じとすることができる。従って、照明面全体の照度を略均一にすることできる。その結果、照明対象が雑誌等である場合には、照度の不均一に起因する紙面の読み辛さを緩和でき、目にかかる負担を軽減できる。
【００２０】
また、従来においては、照明面内の発光体から近い部分の照度を適当な値としても、発光体から遠い部分が暗くなり、その部分を明るくするためには発光体全体の発光強度を大きくする必要があった。このため、発光体から近い部分が明るくなり過ぎることがあった。しかしながら、本実施形態においては、照明面内の発光体２から近い部分の照度を適当な値とした場合、発光体２から遠い部分の照度も適当な値となるので、不要に明るくし過ぎることもなくなり、省エネルギー化を図ることができる。
【００２１】
また、クリップ部４２でもって例えば雑誌Ｂ１等又は衣服の胸ポケットに固定できるので、手に持つことなく、又は置き場所がない場合であっても使用することができる。
【００２２】
なお、本発明は、上記実施形態の構成に限定されるものでなく、使用目的に応じ、様々な変形が可能である。例えば、発光体２及び本体４のそれぞれの形状は、照明器具１の全体を薄くできるのであれば、上記に制限されない。また、アーム３の本数、形状及び長さは、上記に限定されない。
【００２３】
また、制御回路７は、発光強度分布が異なる複数の発光パターンを予め記憶したＲＯＭ又はＲＡＭ等を内蔵したワンチップマイコンで構成され、操作スイッチの操作に応じて発光パターンを選択してもよい。この場合、制御回路７は、その選択した発光パターンに応じて各発光素子２１ａを調光制御する。
【図面の簡単な説明】
【００２４】
【図１】（ａ）〜（ｃ）は本発明の一実施形態に係る折り畳み式照明器具とその各種状態を示す斜視図。
【図２】上記照明器具の発光体とアームの分解斜視図。
【図３】上記発光体の面状光源の斜視図。
【図４】上記照明器具の電気的ブロック図。
【図５】上記発光体の発光状態を示す斜視図。
【図６】上記照明器具の一使用例を示す斜視図。
【図７】上記とは別の使用例を示す斜視図。
【図８】従来の折り畳み照明器具による照明状態を示す斜視図。
【符号の説明】
【００２５】
１  折り畳み式照明器具
２  発光体
２ｂ  発光面の下縁の略中心部
３  アーム
３１  アーム先端側回転軸
３２  アーム基端側回転軸
４  本体
４ａ  載せ面
【図１】
2010009833.tif 000003
【図２】
2010009833.tif 000004
【図３】
2010009833.tif 000005
【図４】
2010009833.tif 000006
【図６】
2010009833.tif 000007
【図７】
2010009833.tif 000008
【図５】
2010009833.tif 000009
【図８】
2010009833.tif 000010